(57)【要約】【課題】アイロン台の仕上げ馬が紛失し又は破損する等のおそれを解消する。【解決手段】仕上げ馬（３）にはアイロン台挟持部（７）を有する支持杆（９）を取り付け、該支持杆を、仕上げ馬がアイロン台に対し水平方向に進退自在且つ上下動自在になるように、アイロン台の下面に配設し、該支持杆のアイロン台挟持部がアイロン台（１）の縁部（１ａ）を挟持することにより仕上げ馬がアイロン台の近傍上方に固定されるようにしたことを特徴とするアイロン台。【選択図】図１
2005270386.tif 000002
【特許請求の範囲】
【請求項１】
仕上げ馬にはアイロン台挟持部を有する支持杆を取り付け、該支持杆を、仕上げ馬がアイロン台に対し水平方向に進退自在且つ上下動自在になるように、アイロン台の下面に配設し、該支持杆のアイロン台挟持部がアイロン台の縁部を挟持することにより仕上げ馬がアイロン台の近傍上方に固定されるようにしたことを特徴とするアイロン台。
【請求項２】
前記支持杆は、基部の一端を略直角に折曲すると共に当該一端を略四角形状に折り返して略四角形状部を形成してなり、該略四角形状部の一辺を仕上げ馬の下面に回動自在に枢着し、該略四角形状部における当該一辺に対向する他辺と前記基部とにより前記アイロン台挟持部を形成させ、該基部をアイロン台下面の支持枠に水平方向に進退自在且つ回転自在に挿通させたことを特徴とする請求項１に記載のアイロン台。
【請求項３】
前記支持杆は、基部の一端を略直角に折曲すると共に当該一端を更に略直角に折曲して該基部と平行な平行部を形成し、該平行部の先端を略直角に折曲すると共に該先端を略四角形状に折り返して略四角形状部を形成してなり、該略四角形状部の一辺を仕上げ馬の下面に回動自在に枢着し、該略四角形状部における当該一辺に対向する他辺と前記平行部とにより前記アイロン台挟持部を形成させ、前記基部をアイロン台下面の支持枠に水平方向に進退自在且つ回転自在に挿通させたことを特徴とする請求項１に記載のアイロン台。
【請求項４】
仕上げ馬にはそれぞれ前記アイロン台挟持部を有する前記支持杆を複数本取り付けたことを特徴とする請求項１〜３のいずれかに記載のアイロン台。
【発明の詳細な説明】
【技術分野】
【０００１】
本発明は、アイロン台に関するものであり、特に、仕上げ馬を備えたアイロン台に係るものである。
【背景技術】
【０００２】
アイロン台は、例えばシャツやブラウスの袖口等のアイロン掛けを行なうための仕上げ馬をしばしば備えている。
【０００３】
従来のアイロン台においては、仕上げ馬は、実開平４−７３３９９号公報に示すように、アイロン台とは別体のものであり、アイロン台に対し着脱自在である。
【特許文献１】実開平４−７３３９９号公報
【発明の開示】
【発明が解決しようとする課題】
【０００４】
上記従来のアイロン台における仕上げ馬は、アイロン台に対し着脱自在である。即ち、仕上げ馬を使用しない通常のアイロン掛けの際には、仕上げ馬はアイロン掛けの邪魔になるため、仕上げ馬はアイロン台から取り外される。また、アイロン台の非使用時にも、仕上げ馬はアイロン台から取り外して保管される。
【０００５】
従って、上記従来のアイロン台においては、仕上げ馬がしばしば紛失し、或いは破損するという問題が生じている。
【０００６】
本発明は、上記従来のアイロン台におけるこのような問題を解決しようとしてなされたものである。
【課題を解決するための手段】
【０００７】
上記課題を解決するために、本発明は、仕上げ馬の非使用時には仕上げ馬をアイロン台の下面に位置させ、仕上げ馬の使用時には仕上げ馬をアイロン台の下面下よりアイロン台の近傍上方まで引き出して固定するようにしたアイロン台を提供するものである。
【０００８】
即ち、本発明は、下記のアイロン台を提供する。
【０００９】
（１）仕上げ馬にはアイロン台挟持部を有する支持杆を取り付け、該支持杆を、仕上げ馬がアイロン台に対し水平方向に進退自在且つ上下動自在になるように、アイロン台の下面に配設し、該支持杆のアイロン台挟持部がアイロン台の縁部を挟持することにより仕上げ馬がアイロン台の近傍上方に固定されるようにしたことを特徴とするアイロン台（請求項１）。
【００１０】
（２）前記（１）のアイロン台において、前記支持杆は、基部の一端を略直角に折曲すると共に当該一端を略四角形状に折り返して略四角形状部を形成してなり、該略四角形状部の一辺を仕上げ馬の下面に回動自在に枢着し、該略四角形状部における当該一辺に対向する他辺と前記基部とにより前記アイロン台挟持部を形成させ、該基部をアイロン台下面の支持枠に水平方向に進退自在且つ回転自在に挿通させる（請求項２）。
【００１１】
（３）前記（１）のアイロン台において、前記支持杆は、基部の一端を略直角に折曲すると共に当該一端を更に略直角に折曲して該基部と平行な平行部を形成し、該平行部の先端を略直角に折曲すると共に該先端を略四角形状に折り返して略四角形状部を形成してなり、該略四角形状部の一辺を仕上げ馬の下面に回動自在に枢着し、該略四角形状部における当該一辺に対向する他辺と前記平行部とにより前記アイロン台挟持部を形成させ、前記基部をアイロン台下面の支持枠に水平方向に進退自在且つ回転自在に挿通させる（請求項３）。
【００１２】
（４）前記（１）（２）又は（３）のアイロン台において、仕上げ馬にはそれぞれ前記アイロン台挟持部を有する前記支持杆を複数本取り付ける（請求項４）。
【００１３】
［発明の作用］
［請求項１の発明］
仕上げ馬の非使用時には、仕上げ馬はアイロン台の下側にある。仕上げ馬を使用する際には、仕上げ馬をアイロン台の下側からアイロン台の側傍に引き出し、アイロン台の上面よりも高く引き上げた後、仕上げ馬をアイロン台の方向に押して支持杆のアイロン台挟持部にアイロン台の縁部を挟持させる。しかるときは、仕上げ馬はアイロン台の近傍上方に固定される。
【００１４】
仕上げ馬の使用後、仕上げ馬は上記と逆の手順によりアイロン台の下側に収納される。
【００１５】
［請求項２の発明］
仕上げ馬を水平方向に動かすときには、支持杆の基部がアイロン台下面の支持枠に対し水平方向に進退する。仕上げ馬を上下方向に動かすときには、支持杆の基部がアイロン台下面の支持枠に対し回転し、支持杆の略四角形状部の一辺が仕上げ馬に対し回動する。仕上げ馬は、使用時のみならず、アイロン台の下側に位置するときも、常時、使用面（アイロンを当てる面）が上方を向いた姿勢を保持する。
【００１６】
［請求項３の発明］
支持杆における基部の一端がクランク状をなすため、アイロン台の下側に収納されている仕上げ馬をアイロン台の側傍に引き出す際には、支持杆を仕上げ馬に対し若干回動させることにより仕上げ馬の姿勢を下げてアイロン台の縁部の下方を通過させることができる。換言すれば、仕上げ馬をアイロン台の縁部の下方を通過させるために、支持杆を低位置に設定する必要はない。従って、仕上げ馬と支持杆とをアイロン台の下側に都合よく収納することができる。
【００１７】
［請求項４の発明］
仕上げ馬にはそれぞれアイロン台挟持部を有する前記支持杆を複数本取り付けたため、仕上げ馬はより安定する。
【発明の効果】
【００１８】
仕上げ馬の非使用時には、仕上げ馬はアイロン台の下側にある。仕上げ馬を使用する際には、仕上げ馬をアイロン台の下側からアイロン台の側傍に引き出し、アイロン台の近傍上方に固定するようにしている。即ち、仕上げ馬は、アイロン台から取り外されることなく、常時アイロン台に取り付けられている。従って、仕上げ馬が紛失し又は破損する等のおそれはない。
【発明を実施するための最良の形態】
【００１９】
符号１に示すものはアイロン台、符号３に示すものは仕上げ馬、符号５に示すものはアイロン台１の脚部である。
【００２０】
図２〜図５は、脚部５を省略して示すアイロン台１の底面図である。図６〜図１０は、脚部５を省略して示すアイロン台１の断面側面図である。
【００２１】
仕上げ馬３にはアイロン台挟持部７を有する支持杆９を取り付ける。
【００２２】
仕上げ馬３にはそれぞれアイロン台挟持部７を有する支持杆９を複数本取り付けてもよいが、図示の事例においては、仕上げ馬３にはそれぞれアイロン台挟持部７を有する支持杆９を２本取り付けている。
【００２３】
支持杆９を、仕上げ馬３がアイロン台１に対し水平方向に進退自在且つ上下動自在になるように、アイロン台１の下面に配設し、該支持杆９のアイロン台挟持部７がアイロン台１の縁部１ａを挟持することにより仕上げ馬３がアイロン台１の近傍上方に固定されるようになす。
【００２４】
支持杆９は、一例として、図１３、図１〜５に示すように、基部１１の一端１１ａを略直角に折曲すると共に当該一端１１ａを略四角形状に折り返して略四角形状部１３を形成してなり、該略四角形状部１３の一辺１３ａを仕上げ馬３の下面に回動自在に枢着し、該略四角形状部１３における当該一辺１３ａに対向する他辺１３ｂと前記基部１１とにより前記アイロン台挟持部７を形成させ、該基部１１をアイロン台１下面の支持枠１５に水平方向に進退自在且つ回転自在に挿通させる。
【００２５】
また、支持杆９は、図１２、図１〜図１０に示すように、基部１１の一端１１ａを略直角に折曲すると共に当該一端１１ａを更に略直角に折曲して該基部１１と平行な平行部１７を形成し、該平行部１７の先端１７ａを略直角に折曲すると共に該先端１７ａを略四角形状に折り返して略四角形状部１３を形成してなり、該略四角形状部１３の一辺１３ａを仕上げ馬３の下面に回動自在に枢着し、該略四角形状部１３における当該一辺１３ａに対向する他辺１３ｂと前記平行部１７とにより前記アイロン台挟持部７を形成させ、前記基部１１をアイロン台１下面の支持枠１５に水平方向に進退自在且つ回転自在に挿通させるようにしてもよい。
【図面の簡単な説明】
【００２６】
【図１】本発明によるアイロン台の一例を示す斜視図である。
【図２】仕上げ馬をアイロン台の下側に収納した状態を示す底面図である。
【図３】仕上げ馬をアイロン台の下側からアイロン台の側傍に引き出した状態を示す底面図である。
【図４】仕上げ馬をアイロン台の上面よりも高く引き上げた状態を示す底面図である。
【図５】仕上げ馬をアイロン台の方向に押して支持杆のアイロン台挟持部にアイロン台の縁部を挟持させた状態を示す底面図である。
【図６】仕上げ馬をアイロン台の下側に収納した状態を示す断面図である。
【図７】支持杆を仕上げ馬に対し若干回動させることにより仕上げ馬の姿勢を下げた状態を示す断面図である。
【図８】仕上げ馬をアイロン台の縁部の下方を通過させた状態を示す断面図である。
【図９】仕上げ馬をアイロン台の上面よりも高く引き上げた状態を示す断面図である。
【図１０】仕上げ馬をアイロン台の方向に押して支持杆のアイロン台挟持部にアイロン台の縁部を挟持させた状態を示す底面図である。
【図１１】支持杆における略四角形状部の一辺を仕上げ馬の下面に回動自在に枢着した状態を示す正面図である。
【図１２】支持杆の一例を示す斜視図である。
【図１３】支持杆の別の一例を示す斜視図である。
【符号の説明】
【００２７】
１  アイロン台
１ａ  縁部
３  仕上げ馬
５  脚部
７  アイロン台挟持部
９  支持杆
１１  基部
１１ａ  一端
１３  略四角形状部
１３ａ  一辺
１３ｂ  他辺
１５  支持枠
１７  平行部
１７ａ  先端
【図１】
2005270386.tif 000003
【図２】
2005270386.tif 000004
【図３】
2005270386.tif 000005
【図４】
2005270386.tif 000006
【図５】
2005270386.tif 000007
【図６】
2005270386.tif 000008
【図７】
2005270386.tif 000009
【図８】
2005270386.tif 000010
【図９】
2005270386.tif 000011
【図１０】
2005270386.tif 000012
【図１１】
2005270386.tif 000013
【図１２】
2005270386.tif 000014
【図１３】
2005270386.tif 000015